(57)【要約】【課題】本体を端子に対して任意の位置に設定できる電子機器を提供すること。【解決手段】電子機器２００は、本体２１０に回転可能に取り付けにヒンジ２２０を設ける。ヒンジ２２０は、本体２１０のある一面に対する角度を変化させる。ヒンジ２２０と連動するサポート部２３０を設ける。サポート部２３０に外部の機器と接続する端子２４０を設ける。端子２４０は、ヒンジ２２０の回転に伴って回転する。【選択図】　　図２
2004139952.tif 000002
【特許請求の範囲】
【請求項１】
本体と、
前記本体に設けて回転可能に取り付けたヒンジと、
前記ヒンジの回転に伴って連動して動く外部の機器と接続する端子と、
を有し、
前記端子は、前記本体のある一面に対する角度を変化させて前記ヒンジを回転する電子機器。
【請求項２】
本体と、
前記本体の一面に設け本体に対して回転可能なヒンジと、
前記ヒンジの回転に伴って連動して動く外部の機器と接続する端子と、
を有し、
前記端子と前記本体の前記一面とが所定の角度を保持した状態で、前記ヒンジが回転する電子機器。
【請求項３】
前記本体は、通信用のアンテナを設けた請求項１又は２記載の電子機器。
【請求項４】
前記ヒンジは、所定の角度毎に回転する請求項１乃至３のいずれかに記載の電子機器。
【請求項５】
前記端子と接続する前記外部の機器が、コンピュータ、画像入出力装置、印刷装置、記憶装置のいずれかである請求項１乃至４のいずれかに記載の電子機器。
【請求項６】
一部にケース穴を有するケースと、
一部に可動穴を有し、外部の機器と接続する端子を固定する端子保持部材と、
前記端子保持部材の前記可動穴と前記ケースの前記ケース穴の中心が一致するように、前記端子保持部材を前記ケースに取り付けた状態で、前記可動穴と前記ケース穴に挿入して前記端子保持部材を前記ケースに対して回転自在に保持するピンと、
を有する電子機器。
【発明の詳細な説明】
【０００１】
【発明の属する技術分野】
本発明は電子機器に関するものである。
【０００２】
【従来の技術】
従来の電子機器、パソコンやその他の電気製品で他とデータや信号のやり取りを行うものは一般的にインターフェースを備えている。パソコンの例と取ってみると、ＲＳ（Ｒｅｃｏｍｍｅｎｄｅｄ　Ｓｔａｎｄａｒｄ）２３２−Ｃ用コネクタであるＤ−ＳＵＢ規格のコネクタやＵＳＢ（Ｕｎｉｖｅｒｓａｌ　Ｓｅｒｉａｌ　Ｂｕｓ）規格のコネクタと、ＰＣカードを経由して周辺機器とつなぐ形式と多種に渡っている。
【０００３】
また、コネクタの向きはパソコンの機種によって異なる場合が多い。しかし、コネクタはケーブルで接続する事を前提としている場合が一般的であり、接続の際に大きな不具合は生じていないのが現状である。
【０００４】
パソコンに接続する無線通信装置としては、無線ＬＡＮ用のＰＣカードがある。ＰＣカードは、パソコンのＰＣスロットに差し込まれる形式を取るが、電波を発射・受信する空中線を格納するスペースは、ＰＣスロットから突起している部分に限られるために、効率の高い空中線の設計が難しい。従って、効率の高い空中線を備えた無線ＬＡＮ用のＰＣカードを作成する場合は、あえて空中線部分を垂直に立てる必要がある。しかし、ＰＣスロットの場合は水平に差し込む形が一般的な為、空中線の位置はそれに合わせて設計できる。
【０００５】
また、従来の回転式コネクタは、第１コネクタ部を有するソケットコネクタと、第１コネクタ部と嵌め合う第２コネクタ部を有するプラグコネクタと、ソケットコネクタに対して着脱可能の筒状ケースと、筒状ケースの開口端に装着されて、中心軸を中心に相対回転可能な回転操作部材と、第１コネクタ部と第２コネクタ部を嵌合離脱可能とするためにプラグコネクタと回転操作部材間にカム機構を備える（例えば、特許文献１参照。）。
【０００６】
また、従来のヒンジコネクター構造は、２つの中空のコネクタ体同士を回転可能に軸支する。一方のコネクタ体は、中空の円筒体とこの円筒体の側面に配置した中空の直方体を一体成形してある。円筒体の一方の端面に、断面円形状連絡孔とこの連絡孔を囲んでドーナツ形状の突出部を形成する。直方体の側面には溝部を設ける。一方、他方のコネクタ体も一方のコネクタ体と同様の構造にする。一方のコネクタ体の溝部と他方のコネクタ体の突出部との間にＯリングパッキンをはさんで、回転自在に軸支されて一体になる（例えば、特許文献２参照。）。
【０００７】
【特許文献１】
特開２００２−２６０７７５号公報（段落番号００１３〜００１５、第１図）
【０００８】
【特許文献２】
特開２００２−２２１２１７号公報（段落番号００１８〜００１９、第４図）
【０００９】
【発明が解決しようとする課題】
しかし、従来の電子機器では、Ｄ−ＳＵＢコネクタやＵＳＢコネクタの取り付け方向がパソコンの機種やメーカに依って異なる為に、コネクタに直接接続する形状の機器を設計する時には、コネクタの取り付け方向を加味した設計が必要となる。パソコンの本体に直接付属しているコネクタに直接接続する無線機器を設計する場合、空中線は地面に対して垂直か、地面から離れる方向に向いている事が好ましく、また、直接波を使って通信する場合は、送信側と受信側の偏派面を合わせる事が感度と通信距離を伸ばす為に必要な事となる。従って、無線装置を常に一定の方向に保つ為に、パソコンのコネクタ取り付け方向に合う様に無線装置の接続コネクタの位置を可変出来る機能を持たせる必要がある。
【００１０】
そこで、本発明は、接続コネクタ側の位置や方向を変える事で無線装置から発射される電波の偏派面を一定の方向に保って取り付けられる電子機器を提供することを課題とする。
【００１１】
【課題を解決するための手段】
本発明の電子機器は、本体と、前記本体に設けて回転可能に取り付けたヒンジと、前記ヒンジの回転に伴って連動して動く外部の機器と接続する端子と、を有し、前記端子は、前記本体のある一面に対する角度を変化させて前記ヒンジを回転するものである。
【００１２】
本発明の電子機器は、本体と、前記本体の一面に設け本体に対して回転可能なヒンジと、前記ヒンジの回転に伴って連動して動く外部の機器と接続する端子と、を有し、前記端子と前記本体の前記一面とが所定の角度を保持した状態で、前記ヒンジが回転するものである。
【００１３】
本発明の電子機器は、前記本体が通信用のアンテナを設けたものである。
【００１４】
本発明の電子機器は、前記ヒンジが所定の角度毎に回転するものである。
【００１５】
本発明の電子機器は、前記端子と接続する前記外部の機器が、コンピュータ、画像入出力装置、印刷装置、記憶装置のいずれかである。本発明の電子機器は、パーソナルコンピュータ、ＰＤＡ（Ｐｅｒｓｏｎａｌ　Ｄｉｇｉｔａｌ　Ａｓｓｉｓｔａｎｔ）、ディスプレイ、液晶プロジェクタ、スキャナー、プリンター、ハードディスクドライブ、ＣＤ−Ｒのような記録媒体に記録するものなどに接続する。
【００１６】
また、本発明の電子機器は、一部にケース穴を有するケースと、一部に可動穴を有し、外部の機器と接続する端子を固定する端子保持部材と、前記端子保持部材の前記可動穴と前記ケースの前記ケース穴の中心が一致するように、前記端子保持部材を前記ケースに取り付けた状態で、前記可動穴と前記ケース穴に挿入して前記端子保持部材を前記ケースに対して回転自在に保持するピンとを有する。
【００１７】
【発明の実施の態様】
本発明の実施例を図面に基づいて説明する。図１は、Ｄ−ＳＵＢコネクタの形状を示す。
【００１８】
＜実施例１＞
直接波で通信を行う無線装置に付いては、送信機用空中線と受信機用空中線の偏派面が異なると受信感度は極端に落ちると言われている。その値は少なくみても−３ｄＢであり、通信そのものに大きな影響を与える。パソコンに於けるコネクタの取り付け位置を見てみると、図１に示すように、基準位置に対して９０度毎に取り付け方向が異なっている。この中でも基準位置と基準位置から１８０度の方向が一般的に使用されていることが多い、従って、多くの場合はこの２方向への対応が必要となる。
【００１９】
図２は１８０度回転するヒンジを持ったＤ−ＳＵＢ型接続コネクタを持つ無線装置の例を示している。図２（ａ）は側面図、図２（ｂ）はコネクタ側からみた平面図（裏面図）及び図２（ｃ）はコネクタ側とは反対側から見た平面図（表面図）である。
【００２０】
無線装置２００は、電子回路やアンテナを配置した無線装置本体２１０と、無線装置本体２１０がコネクタ２４０に対して回転できるようにしたヒンジ部２２０と、コネクタ２３０をサポートするサポート部２３０と、コネクタ部２４０とからなる。無線装置本体２１０は、回転ヒンジ２２０により１８０度の範囲で接続コネクタ２４０と角度差を持つ事ができる。コネクタ２３０にＤ−ＳＵＢを使用したものである。無線装置本体２１０とコネクタ２４０の角度は、任意の角度を採るようにしても良いし、一定の角度毎にロックするようにしても良い。
【００２１】
＜実施例２＞
図３はＵＳＢ型接続コネクタを持つ無線装置を示す。図２と異なる点は、コネクタ３４０が、ＵＳＢ型接続コネクタを持つ点である。それ以外の部分は、図２に示す無線装置２００と同じ機能を持つ。
【００２２】
図２及び図３で示す無線装置２００、３００では、図１に示す基準位置から９０度と２７０度の回転に対して、無線機本体を垂直することは出来ない。例えば送信用無線装置の接続コネクタが図１の標準位置の方向であり、受信側無線装置の接続コネクタの位置が図１の基準位置から９０度であった場合、送信側と受信側の空中線の偏派面は９０度異なる事になる。従って、受信感度は非常に低く押さえられる。
【００２３】
＜実施例３＞
図４は、３６０度回転ヒンジを持った無線装置を示す。図４（ａ）は側面図、図４（ｂ）はコネクタ側から見た平面図（裏面図）、図４（ｃ）はコネクタ側とは反対側から見た平面図（表面図）を示す。無線装置４００は、無線装置本体４１０と、３６０度回転するヒンジ部４２０と、コネクタ４４０をサポートするサポート部４３０と、コネクタ４４０とからなる。ヒンジ部は、任意の位置に回転できるようにしても良いし、９０度ごとのようにある一定の角度ごとに回転するとロックするようにしてもよい。円形のつまみを回す事で接続コネクタを基準位置から９０度の位置に合わせる事が可能となる。
【００２４】
図５は無線装置４００の接続コネクタ４４０を基準位置から９０度回転させて状態を示す。パソコンに直接接続する無線装置４００に於いて、回転ヒンジ４２０は無線装置間の通信能力を高めることができる。
【００２５】
＜実施例４＞
図６及び図７は、液晶プロジェクタ装置に無線装置を取り付ける場合について説明する。図６は、Ｄ−ＳＵＢコネクタ１００が基準位置に取り付けてある場合である。また、図７は、Ｄ−ＳＵＢコネクタ１００が基準位置と１８０度回転した位置に取り付けてある場合である。
【００２６】
液晶プロジェクタ装置６１０は、通常側面又は裏面にＤ−ＳＵＢコネクタ１００を持っている。このコネクタ１００から画像の情報を得て表示する目的のコネクタである。背面にＤ−ＳＵＢコネクタ１００が付属している液晶プロジェクタ装置６１０では、図６に示すように基準位置の方向にコネクタ１００が固定されている。一方、図７に示す液晶プロジェクタは、基準位置に対して１８０度の方向に対してコネクタ１００が固定されている。先ず図６の液晶プロジェクタ６１０に対しては、回転ヒンジを左いっぱいに回した状態で液晶プロジェクタ装置６１０に取り付ける。図７の液晶プロジェクタ装置６１０に対しては、回転ヒンジを右いっぱいに回した状態で液晶プロジェクタ装置６１０に取り付ける。この様な取り付け方をする事で、無線装置２００の位置を一定に保つ事が可能となる。
【００２７】
＜実施例５＞
図８と図９は、パソコンに無線装置を接続した場合の例を示す。ノートパソコン８００を例に取ると、コネクタは本体８１０の側面及び裏面に配置されている場合が一般的である。先ずは無線装置３００を接続するコネクタが、裏面に配置されていた場合に付いて説明する（図８参照）。ノートパソコン８００に於けるインタフェースは、ＵＳＢ規格のものが一般的になっているので、図３に示す無線装置３００を用いる。ノートパソコン８００は、液晶表示装置８２０がパソコン本体８１０に可動式のヒンジで固定されている為に、パソコン８００を使用する人は、液晶表示装置８２０の角度を自由に変えて、見易い位置に調整して使用が可能である。しかし、裏面のコネクタに差し込まれた無線装置３００がある場合、無線装置３００の位置がコネクタに対して垂直である場合は、液晶表示装置８２０にぶつかるため、液晶表示装置８２０の使用角度は地面に対して垂線から１５度の角度を使用角度として使った。従って、無線装置３００の接続コネクタと無線装置本体３１０の成す角度は、１０５度になっている。無線装置３００は付近に物体が有る場合に放射インピーダンスが変わり、電波の放射効率を下げる原因となる為、出来る限り空中線を物体から離す必要がある。放射された電波の偏派面が変わってしまうと、受信効率を大幅に減少させる原因となる為、本実施例では１０５度とした。
【００２８】
次に無線装置３００を接続するコネクタが側面に配置されていた場合に付いて説明する。図９は無線装置を接続するコネクタが側面に配置されていた場合の無線装置の装着図である。この場合は液晶表示装置８２０等にぶつかる心配が無い為、接続コネクタと無線装置本体３１０の成す角度を９０度にすることで無線装置を地面に対して垂直に保つ事が出来る。
【００２９】
＜実施例６＞
図１０乃至図１５は、回路を格納するケースを構成する各部品を表したものである。図１０は前側及び後側ケース本体の正面図と側面図を示す。
【００３０】
ケース本体１０００ａ、１０００ｂの内側には、回路基板を収納する収納部（図示せず）が設けられていて、前側ケース本体１０００ｂと後側ケース本体１０００ａを組合わせると、前記回路を収納するための空間ができる。前側ケース本体１０００ｂと後側ケース本体１０００ａの上部には上部押さえ部品１３００を保持するように、３ヶ所の穴１０１０ａ、１０１０ｂをあけてある。後側ケース本体１０００ａの側面下部には、ヒンジ押さえピン１４００を挿入させてコネクタを回転するようにする。ここで、ケース本体１０００ａ、１０００ｂに用いられる材料はＡＢＳ材を用いる。
【００３１】
図１１はコネクタ用上部部品の側面図と正面図を示す。ＵＳＢコネクタやＤ−ＳＵＢコネクタを挟み込む一方の部品である。コネクタ用上部部品１１００の下部は、円筒形状１１２０をしており、その一部は円筒形状を形成しない空間部がある。この円筒形状１１２０に穴１１３０をあける。コネクタ用上部部品１１００の上部１１１０は、円筒形状１１２０と一体となっており、コネクタを挟み込むためのコネクタ収納部を有する。
【００３２】
図１２はコネクタ用下部部品の側面図と正面図を示す。コネクタ用下部部品１２００は、ＵＳＢコネクタやＤ−ＳＵＢコネクタを挟み込む他方の部品である。コネクタ用下部部品１２００の下部は、半円筒形状１２２０をしており、その一部は半円筒形状を形成しない空間部がある。コネクタ用下部部品の１２００の上部１２１０には、半円筒形状１２２０と一体となっており、コネクタを挟み込むためのコネクタ収納部を有する。
【００３３】
図１３は上部押さえ部品の側面図と正面図を示す。上部押さえ部品は、図１０で示すケース本体１０００ａ、１０００ｂを上部で固定する押さえ部品である。上部押さえ部品１３００には、ケース本体１０００ａ、１０００ｂに設けた穴１０１０ａ、１０１０ｂと嵌め合う嵌め合い部１３１０を設ける。また、上部押さえ部品に付いては、半透明性が要求される為にポリカーボネイトが好ましい。
【００３４】
図１４はヒンジ押さえピンの側面図と正面図を示す。ヒンジ押さえピン１４００はヒンジの回転部の中心に差込み、ヒンジを固定する機能を持つ。ヒンジ押さえピン１４００は、一端に円錐部１４１０と他端に円筒部１４３０があり、円錐部１４１０と円筒部１４３０には、くびれ部１４２０がある。
円錐部１４１０は円筒部に向かって、外径が大きくなる。また、円錐部１４１０はスリット１４４０を設ける。
【００３５】
図１５はヒンジ部押さえカバーの側面図と正面図を示す。ヒンジ部押さえカバー１５００は、ヒンジ押さえピンで固定されたヒンジ部を視覚的にカバーする化粧部品である。通常ＡＢＳ材料は材料自体の着色が可能であるが、本実施例ではロゴマークや名称等の表示を行う為、塗装を行った。
【００３６】
次にケースの組み込み方法に付いて説明する。先ずはコネクタ部を組み込む。図１６は、ＵＳＢコネクタとコネクタ用上部部品及び下部部品を組み込む方法を示す。ＵＳＢコネクタ１６１０を左右から包み込むように、コネクタ用上部部品１１００とコネクタ用下部部品１２００を組み込み、この状態で、コネクタ用上部部品１１００とコネクタ用下部部品１２００を合わせる。なお、コネクタ１６１０に回路基板１７１０から配線がされている場合は、次にケース本体１０００ａ、１０００ｂを組み込む。
【００３７】
図１７は回路基板と空中線をケース本体に組み込む方法を示す。空中線１７２０が取り付けられた回路基板１７１０をケース本体１０００ａ、１０００ｂの内部に収納する。本実施例では空中線１７２０の一部がケース本体１０００ａ、１０００ｂの外側に露出させる為、空中線１７２０をケース本体１０００ａ、１０００ｂの溝１０２０ａ、１０２０ｂに沿って配線する。
【００３８】
次にコネクタ部をケース本体に組み込む。図１８はコネクタ部を本体ケースに組み込み方を示す模式図である。ＵＳＢコネクタ１６１０を保持したコネクタ用上部部品１１００とコネクタ用下部部品１２００を合体したもの（コネクタ部）を、ケース本体１０００ａ、１０００ｂを合体したもの１０００に組み込む。このとき、コネクタ用上部部品１１００の円筒部１１２０とコネクタ用下部部品１２００の半円筒部１２２０を後側ケース本体１０００ｂに設けた穴１０２０に挿入する。この状態で、コネクタ部は本体ケース１０００ａ、１０００ｂには固定されていない。
【００３９】
次に、コネクタ部をケース本体に固定する方法について述べる。図１９は、コネクタ部をケース本体に固定する状態を示した図である。ヒンジ押さえピン１４００をコネクタ部の左右の穴に円錐部１４１０から挿入して、コネクタ部をケース本体１０００に固定する。この場合、コネクタ部は本来の回転方向には自由に回転できる事を確認する。
【００４０】
更に上部押さえ部品１３００を図２０の様ケース本体１０００に押し込んで、ケース本体１０００の上部を固定する（図２０参照）。
【００４１】
最後に、ヒンジ部押さえカバー１５００をケースのヒンジ部に取り付けて組み込みを完成する（図２１参照）。
【００４２】
前側ケース本体１０００ｂと後側ケース本体１０００ａ、コネクタ用上部部品１１００とコネクタ用下部部品１２００、及びケース本体１０００と上部押さえ部品１３００の固定は、分解性を考慮して、接着剤などを用いずに固定してもよいし、接着剤を用いて固定してもよい。
【００４３】
【発明の効果】
情報を供給する媒体、例えばコンピュータに無線装置を接続固定する際に本発明の可動ヒンジ及び回転ヒンジを接続コネクタと無線装置本体の間に用いる事で、媒体側のコネクタの向きや位置に関係なく、無線装置の位置を決定出来る。これによって無線通信の効率化を計ることが出来る。
【図面の簡単な説明】
【図１】Ｄ−ＳＵＢ型のコネクタ取り付け方向を示す模式図である。
【図２】Ｄ−ＳＵＢ型ハードウエアの基本構成を示す模式図である。
【図３】ＵＳＢ型用ハードウエアの基本構成を示す模式図である。
【図４】ロータリ型ハードウエアの基本構成を示す模式図である。
【図５】ロータリ型を９０度回転させた状態を示す模式図である。
【図６】液晶プロジェクタ側の受け口を示す模式図である。
【図７】液晶プロジェクタ装置に無線装置を取り付けた状態を示す模式図である。
【図８】パソコンの背面に無線装置を取り付けた状態を示す模式図である。
【図９】パソコンの側面に無線装置を取り付けた状態を示す模式図である。
【図１０】前側及び後側ケース本体の正面図と側面図である。
【図１１】コネクタ用上部部品の側面図と正面図である。
【図１２】コネクタ用下部部品の側面図と正面図である。
【図１３】上部押さえ部品の側面図と正面図である。
【図１４】ヒンジ押さえピンの側面図と正面図である。
【図１５】ヒンジ部押さえカバーの側面図と正面図である。
【図１６】ＵＳＢコネクタとコネクタ用上部部品及び下部部品を組み込み方法を示す図である。
【図１７】回路基板と空中線をケース本体に組み込む方法を示す図である。
【図１８】コネクタ部を本体ケースに組み込み方を示す模式図である。
【図１９】コネクタ部をケース本体に固定する状態を示した図である。
【図２０】上部押さえ部品をケース本体に固定する方法を示した図である。
【図２１】ヒンジ部押さえカバーをケースのヒンジ部に取り付る方法を示した図である。
【符号の説明】
２００、３００、４００　無線装置
２１０、３１０、４００　無線装置本体
２２０、３２０　　　　　可動ヒンジ
２３０、３３０、４３０　サポート部
２４０、３４０、４４０　コネクタ部
４２０　回転ヒンジ
６１０　液晶プロジェクタ装置
【図１】
2004139952.tif 000003
【図２】
2004139952.tif 000004
【図３】
2004139952.tif 000005
【図４】
2004139952.tif 000006
【図５】
2004139952.tif 000007
【図６】
2004139952.tif 000008
【図７】
2004139952.tif 000009
【図８】
2004139952.tif 000010
【図９】
2004139952.tif 000011
【図１０】
2004139952.tif 000012
【図１１】
2004139952.tif 000013
【図１２】
2004139952.tif 000014
【図１３】
2004139952.tif 000015
【図１４】
2004139952.tif 000016
【図１５】
2004139952.tif 000017
【図１６】
2004139952.tif 000018
【図１７】
2004139952.tif 000019
【図１８】
2004139952.tif 000020
【図１９】
2004139952.tif 000021
【図２０】
2004139952.tif 000022
【図２１】
2004139952.tif 000023